(57)【要約】【課題】  低コストで長期間に亘って良好なクリーニング性を維持するクリーニング部材を提供することを課題とする。【解決手段】  芯体１１の表面にスポンジ部材の両面に接着層を具備した両面テープを巻回して形成した下層１２と、下層１２の外表面に設けられた上層１３とからなり、上層１３が、繊維１３ａを撚った糸１３Ａを編んだ編物からなる。【選択図】  図１
2008282006.tif 000002
【特許請求の範囲】
【請求項１】
芯体の表面にスポンジ部材の両面に接着層を具備した両面テープを巻回して形成した下層と、前記下層の外表面に設けられた上層とからなり、前記上層は、織物又は編物からなる繊維層の少なくとも１層からなることを特徴とするクリーニング部材。
【請求項２】
請求項１に記載のクリーニング部材において、前記両面テープの厚さが０．４〜３．０ｍｍであることを特徴とするクリーニング部材。
【請求項３】
請求項１又は２に記載のクリーニング部材において、前記スポンジ部材がポリオレフィン、又はアクリルゴムからなることを特徴とするクリーニング部材。
【請求項４】
請求項１〜３の何れかに記載のクリーニング部材において、前記上層は、同種又は異種の繊維層を複数積層して形成したものであることを特徴とするクリーニング部材。
【請求項５】
請求項１〜４の何れかに記載のクリーニング部材において、前記クリーニング部材がロール形状であることを特徴とするクリーニング部材。
【発明の詳細な説明】
【技術分野】
【０００１】
本発明は、トナー、外部添加剤、紙粉等を除去するのに用いるクリーニング部材に関し、特に、複写機、プリンタ、ファクシミリ等に用いられる帯電ロールに付着するトナーを除去するクリーニングロールとして好適なクリーニング部材に関する。
【背景技術】
【０００２】
画像形成装置、例えば、複写機、プリンタあるいはこれらの機能を併せ持った複合ＯＡ機器等には、クリーニングブレードやクリーニングロールが用いられている。クリーニングロールは、感光体や帯電ロールに当接させて付着したトナーや、外部添加剤、紙粉、その他の異物を除去するものであるが、クリーニングロールがトナー等の異物を十分に除去できない場合は、感光体や帯電ロール等が傷ついてしまい、さらに印刷画像の不良も生じてしまう。このため、クリーニングロールは、長期間に亘ってクリーニング性を維持することが求められている。
【０００３】
そこで、スポンジ材からなるクリーニング部材を有する帯電装置（特許文献１参照）、円筒状弾性体と、熱融着性繊維を絡み合わせた繊維層とからなるトナー供給ローラ（特許文献２参照）などが提案されている。
【０００４】
しかしながら、特許文献１では、発泡体を成形しこれに穴を開けて芯体を通す、特許文献２では、一度成形したロールに熱融着性繊維を被せた後に再び金型を用いて加熱する、など製造工程が多く、高コストになるという問題があった。また、除去した異物を保持しにくいため長期間に亘って使用するのは困難であるなどの問題があった。
【０００５】
【特許文献１】特許第２８４７５２４号公報
【特許文献２】特開２００６−０６４７７４号公報
【発明の開示】
【発明が解決しようとする課題】
【０００６】
本発明は、このような事情に鑑み、低コストで長期間に亘って良好なクリーニング性を維持するクリーニング部材を提供することを課題とする。
【課題を解決するための手段】
【０００７】
前記課題を解決する本発明の第１の態様は、芯体の表面にスポンジ部材の両面に接着層を具備した両面テープを巻回して形成した下層と、前記下層の外表面に設けられた上層とからなり、前記上層は、織物又は編物からなる繊維層の少なくとも１層からなることを特徴とするクリーニング部材にある。
【０００８】
本発明の第２の態様は、第１の態様に記載のクリーニング部材において、前記両面テープの厚さが０．４〜３．０ｍｍであることを特徴とするクリーニング部材にある。
【０００９】
本発明の第３の態様は、第１又は第２の態様に記載のクリーニング部材において、前記スポンジ部材がポリオレフィン、又はアクリルゴムからなることを特徴とするクリーニング部材にある。
【００１０】
本発明の第４の態様は、第１〜３の何れかの態様に記載のクリーニング部材において、前記上層は、同種又は異種の繊維層を複数積層して形成したものであることを特徴とするクリーニング部材にある。
【００１１】
本発明の第５の態様は、第１〜４の何れかの態様に記載のクリーニング部材において、前記クリーニング部材がロール形状であることを特徴とするクリーニング部材にある。
【発明の効果】
【００１２】
本発明によると、低コストで長期間に亘って良好なクリーニング性を維持するクリーニング部材を提供することができる。
【発明を実施するための最良の形態】
【００１３】
本発明のクリーニング部材は、芯体の表面にスポンジ部材の両面に接着層を具備した両面テープを巻回して形成した下層と、下層の外表面に設けられた上層とからなる。このように、芯体の表面にスポンジ部材の両面に接着層を具備した両面テープを巻回して形成した下層と、所定の上層とを具備することにより、長期間に亘って好適に当接する部材のトナー、外部添加剤、紙粉、その他の異物を除去することができるものとなる。
【００１４】
以下に、本発明のクリーニング部材の一例であるクリーニングロールを例示し、本発明の詳細を説明する。
【００１５】
図１に本発明のクリーニング部材の一例であるクリーニングロールを示す。図１（ａ）はクリーニング部材の断面図であり、図１（ｂ）はクリーニング部材の表面（繊維層）の一部を拡大した概略図である。
【００１６】
図１（ａ）に示すようにクリーニングロール１０は、芯体１１上にスポンジ部材の両面に接着層を具備した両面テープを巻回して形成した下層１２を有するものであり、下層１２上には上層１３が設けられている。
【００１７】
図１のクリーニングロール１０の製造方法を、図２を用いて簡単に説明する。まず、図２（ａ）に示すように、芯体１１の表面に、スポンジ部材の両面に接着層を具備した両面テープをスパイラル状に巻回することで下層１２を形成する。そして、図２（ｂ）に示すように、下層１２に編物を被覆して接着することで下層１２上に上層１３が設けられ、クリーニングロール１０となる。このように本実施形態のクリーニングロール１０は、製造工程が非常に少ないため低コストで製造することができるものである。
【００１８】
なお、勿論、両面テープの片面に上層１３となる編物等を接着してから、これを芯体１１に巻回して下層１２と上層１３とからなるクリーニングロール１０を形成してもよい。
【００１９】
ここで、下層１２は、上述したようにスポンジ部材の両面に接着層を具備した両面テープからなるものであり、従来のクリーニング部材の弾性層の代わりとなるものである。かかる両面テープは、芯体１１への接着が容易であり、上層１３の接着も容易である。また、接着層及びスポンジ部材からなることで芯体１１の表面に巻回しやすい。
【００２０】
下層１２を形成する両面テープは、厚さが０．４〜３．０ｍｍであることが好ましい。このような厚さの範囲の両面テープは、スポンジ部材が所望の弾性力等を有するので、クリーニングロール表面のクリーニング特性を十分に発揮することができる。厚さが３．０ｍｍより大きい両面テープを用いた場合、クリーニング効果は得られるが、クリーニングロールとしたときに、ロールの径が太くなってしまうため、複合ＯＡ機器の小型化には不適である。なお、勿論、上述したものよりも厚さが薄い両面テープを２重、もしくはそれ以上に重ねることで、上述した厚さとなるようにしてもよい。
【００２１】
スポンジ部材は、硬度がＡｓｋｅｒ  Ｃで８０°以下で、且つ室温での圧縮永久歪みが３０％以下であるものが好ましい。ニップ量が確保でき、また、変形が元に戻りやすい、すなわち復元力のある下層１２となるためである。
【００２２】
また、スポンジ部材は、ポリオレフィン又はアクリルゴムからなることが好ましい。クリーニングの際に必要な弾性が得られるためである。
【００２３】
なお、両面テープの幅は特に限定されないが、５〜２０ｍｍ程度であることが好ましい。芯体に巻回しやすいものとなるためである。
【００２４】
本実施形態では、上層１３は、図１（ｂ）に示すように繊維１３ａを撚った糸１３Ａを編んだ編物からなる。なお、ここでいう繊維１３ａは直径が５μｍ〜１００μｍで、アスペクト比（長さと直径との比）が１００以上のものである。本実施形態では、繊維１３ａを撚った糸１３Ａを用いた。
【００２５】
また、ここでいう糸１３Ａは、非常に直径が小さいものである。例えば、直径（見かけ太さ）が８０〜５００μｍであることが好ましい。相手部材に付着しているトナーは、粒径が例えば５〜１０μｍであり、このようなトナーを掻き取るのに好適なものとなるためである。また、この糸１３Ａを編むことによりできる空隙１４が、トナー等の異物を掻き取って抱き込むのに好適な大きさとなるためである。さらに、クリーニングに十分な強度が得られるためである。糸の見かけ太さが８０μｍ未満であると機械的強度が低下する虞があり、糸の見かけ太さが５００μｍよりも大きくなると上層１３の柔軟性が損なわれてしまい、クリーニング性が低下する虞があるため好ましくない。
【００２６】
上述した編物は、コースの幅（μｍ）及びウエールの幅（μｍ）が糸１３Ａの見かけ太さ（μｍ）に対して３〜１０倍であるのが好ましく、特に３〜７倍が好ましい。なお、ここでいう糸の見かけ太さとは、デニールやデシテックスで表記される定長式番手法による太さではなく、顕微鏡等で観察される太さである。
【００２７】
図３（ａ）に示すように、コースとはループ１３Ａ’の横に並んだ列（横列）、ウエールとはループ１３Ａ’の縦に並んだ列（縦列）のことである。そして、コースの幅とは横列の幅、具体的にはループ１３Ａ’の頂点間の距離であり、ウエールの幅とは縦列の幅、ここではループ１３Ａ’のピッチの幅のことである。コースの幅及びウエールの幅が糸の見かけ太さに対して３倍〜１０倍である編物は、糸１３Ａが完全に固定された状態ではなく、上下左右に動くことができる状態である。すなわち、糸１３Ａが変化に対して追従性のある状態である。このため、当接部材と擦れる際、当接部材のトナー、紙粉、その他異物を掻き取りやすい。また、コースの幅及びウエールの幅が糸の見かけ太さに対して３倍〜１０倍である編物は、比較的大きな空隙１４Ａができており、掻き取った異物を空隙１４Ａに抱き込むことができるだけではなく、空隙１４Ａから下層１２の内部まで異物を落としみやすく、異物を大量に保持することができる。このため、クリーニングロール１０は、より長期間に亘ってクリーニング性を維持することができる。なお、コースの幅又はウエールの幅が糸の見かけ太さに対して３倍未満の編物は、糸１３Ａの変化に対する追従性がなくなるだけではなく、掻き取った異物を保持し難くなる。また、コースの幅又はウエールの幅が糸の見かけ太さに対して１０倍より大きい編物は、糸の変化に対する追従性は向上するが当接部材との接触面積が減少してしまい、クリーニング性が低下する虞がある。
【００２８】
編物の編み方は特に限定されず、例えば、平編、ゴム編、タック編、浮き編、片畦編、両面編、レース編、添毛編等が挙げられる。
【００２９】
本実施形態のクリーニングロールは、糸１３Ａがロールの回転方向に移動することで、相手部材のトナー等が掻き取られ、クリーニングされる。具体的には、糸１３Ａを構成する繊維１３ａのうちの少なくとも一部の繊維１３ａにトナー等が引っかかり、他の繊維１３ａがこれらを支えながらクリーニングロール１０の回転方向へ移動することで相手部材のトナー等は掻き取られ、掻き取られたトナー等は糸１３Ａ同士の空隙１４に落ち込む。このように繊維１３ａを撚った糸１３Ａを編んだ編物は、トナー、外部添加剤、紙粉、他の異物等を好適に除去することができる。
【００３０】
本実施形態では、上層１３として編物を用いたが、織物を用いてもよい。織物としては、平織、斜文織及び朱子織等の三元組織、重ね組織が挙げられる。
【００３１】
上記織物は、縦糸同士の間隔（μｍ）が縦糸の見かけ太さ（μｍ）に対して３〜１０倍で且つ横糸同士の間隔（μｍ）横糸の見かけ太さ（μｍ）に対して３〜１０倍であるのが好ましく、特に３〜７倍が好ましい。図３（ｂ）に示すように、縦糸１３Ｂ同士の間隔又は横糸１３Ｃ同士の間隔は、それぞれ隣接する糸の太さ方向の中心間距離のことである。縦糸１３Ｂ同士の間隔（μｍ）が縦糸１３Ｂの見かけ太さ（μｍ）に対して３倍〜１０倍で且つ横糸１３Ｃ同士の間隔（μｍ）が横糸１３Ｃの見かけ太さ（μｍ）に対して３倍〜１０倍である織物は、縦糸１３Ｂ及び横糸１３Ｃが完全に固定された状態ではなく、上下左右に動くことができる状態であり、また、比較的大きな空隙１４Ｂができる。これにより、上述した実施形態と同様の効果を得ることができる。なお、縦糸１３Ｂ同士の間隔（μｍ）が縦糸１３Ｂの見かけ太さ（μｍ）に対して３倍未満、又は横糸１３Ｃ同士の間隔（μｍ）が横糸１３Ｃの見かけ太さ（μｍ）に対して３倍未満の織物は、縦糸１３Ｂ又は横糸１３Ｃの変化に対する追従性がなくなるだけではなく、掻き取った異物を保持し難くなる。また、縦糸１３Ｂ同士の間隔（μｍ）が縦糸１３Ｂの見かけ太さ（μｍ）に対して１０倍より大きい、又は横糸１３Ｃ同士の間隔（μｍ）が横糸１３Ｃの見かけ太さ（μｍ）に対して１０倍より大きい織物は、縦糸１３Ｂ又は横糸１３Ｃの変化に対する追従性は向上するが当接部材との接触面積が減少してしまい、クリーニング性が低下する虞がある。
【００３２】
また、織物の縦糸及び横糸の見かけ太さは特に限定されない。また、織物は、縦糸と横糸とが材質や見かけ太さが異なるものであってもよい。
【００３３】
上層１３を構成する糸（編物）、縦糸及び横糸（織物）は、繊維を束ねたものであるが、勿論、繊維を撚ったものでも、繊維を編んだものでもよく、クリーニング性を損なわない範囲で飾り糸（繊維）を含む繊維を束ねたものであってもよい。また、糸（編物）、縦糸及び横糸（織物）を構成する繊維は、太さが５〜１００μｍであることが好ましい。繊維の太さが５μｍ未満となると、十分な強度の糸が得られ難くなり、繊維の太さが１００μｍよりも大きくなると、上層１３の柔軟性が得られ難くなり、クリーニング性が低下する虞があるからである。
【００３４】
編物又は織物は、それぞれ上述した条件を満たす糸、又は縦糸及び横糸以外に、クリーニング性を損なわない範囲で他の糸が存在していてもよく、例えば、糸、又は縦糸及び横糸よりも細く縮れた糸が存在していてもよく、起毛した状態の糸が存在していてもよい。
【００３５】
糸（編物）、縦糸及び横糸（織物）の材質はいずれも特に限定されず、例えば、コットン、麻、ウール、シルク、ポリエステル、ナイロン、アクリル等が挙げられるが、耐久性・コストの面からポリエステル、ナイロン、アクリルが好ましい。
【００３６】
また、上層１３は、見掛け厚さが０．５ｍｍ以上であることが好ましい。機械的強度や耐摩耗性等の機械的特性に優れたものとなるためである。
【００３７】
なお、上層１３はトナー等の異物を好適に除去できるものであれば、織物や編物を複数積層したものであってもよい。織物や編物を複数積層して上層１３とする場合は、互いに異なるもの、例えば織物と編物とを積層したものでもよく、勿論、同じもの（織物と織物、編物と編物）を積層したものであってもよい。また、例えば同じ織物を積層する場合であっても、異なる繊維からなる織物を積層してもよく、勿論、同じ繊維からなる織物を積層してもよい。
【００３８】
また、上層１３は、上述したものに限定されるものではなく、パイル組織からなる織物であってもよい。パイル組織とは、地糸とは別にパイル用の縦糸又は横糸を使って、織物の表面にパイル（輪奈や切毛）を織り込んだ織物のことである。
【００３９】
パイル組織から形成した上層は、厚さが０．５〜３．０ｍｍであることが好ましい。厚さが０．５未満になると十分なニップ量が得られなくなり、３．０ｍｍより厚くなるとクリーニング効果は得られるが、クリーニングロールとしたときに、ロールの径が太くなってしまうため、複合ＯＡ機器の小型化には不適となる。
【００４０】
パイル組織の単繊維は、太さが５〜５００デシテックスであることが好ましい。クリーニングに十分な強度が得られるためである。単繊維が５デシテックス未満であると機械的強度が低下する虞があり、単繊維が５００デシテックスよりも大きくなると上層１３の柔軟性が損なわれてしまい、当接部材を傷つける虞があるため好ましくない。
【００４１】
また、パイル組織の糸の密度は、６４００〜４６０００本／ｃｍ２であることが好ましい。糸の密度がこの範囲となることにより、上層１３において異物が十分に保持される。
【００４２】
パイル組織の単繊維の材質は特に限定されず、例えば、ポリアミド、ポリエステル、アクリル、ポリオレフィン等が挙げられる。
【００４３】
上述したように、本実施形態のクリーニングロール１０を使用することで、当接部材のトナー等の異物は、上層１３に掻き取られる。そして、上層１３に付着したトナー等は下層１２の接着層にも保持される。このため、本実施形態のクリーニングロール１０は、長期間に亘って相手部材のトナー等の異物を良好にクリーニングできる。
【００４４】
また、本実施形態のクリーニングロール１０は、長期間に亘って使用してクリーニング性が低下した際には、下層１２を芯体１１から容易に剥がすことができるので、芯体１１を再利用することができる。使用後のクリーニングロールを回収して芯体１１を再利用することで、クリーニングロール１０はさらに低コストとすることができる。
【００４５】
本発明のクリーニング部材は、クリーニングロールとして好適なものである。特に、複写機、プリンタ、ファクシミリ等に用いられる帯電ロールや感光体に付着するトナーを除去するクリーニングロールとして好適なものである。
【００４６】
以下、具体的な実施例を説明するが、本発明はこれに限定されるものでないことは言う
までもない。
【００４７】
（実施例１）
硬度がＡｓｋｅｒ  Ｃで６９°で室温での圧縮永久歪みが１３％のアクリル系発泡体を具備する厚さ１．３ｍｍの両面テープ（超強力両面テープ：３Ｍ社製）の片面にレーヨンからなる帯状編物（糸の見掛け太さ８０μｍ、縦糸同士の間隔約５００μｍ、横糸同士の間隔約６００μｍ、見掛け厚さ５００μｍ）を接着し、これをφ６ｍｍの芯金にスパイラル状に巻回して所定の大きさに突っ切りすることで、実施例１のクリーニングロールを成形した。
【００４８】
（実施例２）
両面テープ（超強力両面テープ：３Ｍ社製）の代わりに、硬度がＡｓｋｅｒ  Ｃで５８°で室温での圧縮永久歪みが３％のポリエチレン系発泡体を具備する厚さ１．１ｍｍの両面テープ（超強力両面テープ：ＮＩＴＴＯ社製）を用いた以外は実施例１と同様にして実施例２のクリーニングロールを得た。
【００４９】
（実施例３）
両面テープ（超強力両面テープ：３Ｍ社製）の代わりに、硬度がＡｓｋｅｒ  Ｃで６３°で室温での圧縮永久歪みが１６％のアクリル系発泡体を具備する厚さ０．８ｍｍの両面テープ（超強力両面テープ：３Ｍ社製）を用いた以外は実施例１と同様にして実施例３のクリーニングロールを得た。
【００５０】
（実施例４）
両面テープ（超強力両面テープ：３Ｍ社製）の代わりに、硬度がＡｓｋｅｒ  Ｃで７２°で室温での圧縮永久歪みが１０％のアクリル系発泡体を具備する厚さ０．４ｍｍの両面テープ（超強力両面テープ：寺岡製作所社製）を用いた以外は実施例１と同様にして実施例４のクリーニングロールを得た。
【００５１】
（実施例５）
両面テープ（超強力両面テープ：３Ｍ社製）の代わりに、硬度がＡｓｋｅｒ  Ｃで５３°で室温での圧縮永久歪みが４％のポリオレフィン系発泡体を具備する厚さ１．０ｍｍの両面テープ（超強力両面テープ：ＬＩＮＴＥＣ社製）を用いた以外は実施例１と同様にして実施例５のクリーニングロールを得た。
【００５２】
（実施例６）
両面テープ（超強力両面テープ：３Ｍ社製）の代わりに、硬度がＡｓｋｅｒ  Ｃで６９°で室温での圧縮永久歪みが１３％のアクリル系発泡体を具備する厚さ０．９ｍｍの両面テープ（超強力両面テープ：スリオンテック社製）を用いた以外は実施例１と同様にして実施例６のクリーニングロールを得た。
【００５３】
（実施例７）
硬度がＡｓｋｅｒ  Ｃで６９°で室温での圧縮永久歪みが１３％のアクリル系発泡体を具備する厚さ１．３ｍｍの両面テープ（超強力両面テープ：３Ｍ社製）をφ６ｍｍの芯金にスパイラル状に巻回して下層を形成した。その後、下層上に織物（ナイロンからなる太さ１１０デシテックスの単繊維からなり、３３０００本／ｃｍ２で厚さ１．９ｍｍのパイル組織）を被覆して所定の大きさに突っ切りすることで、実施例７のクリーニングロールを成形した。
【００５４】
（実施例８）
織物として、ナイロンからなる太さ１１０デシテックスの単繊維からなり、２７０００本／ｃｍ２で厚さ１．８ｍｍのパイル組織を用いた以外は実施例７と同様にして実施例８のクリーニングロールを得た。
【００５５】
（実施例９）
織物として、アセテートからなる太さ１３０デシテックスの単繊維からなり、１９８００本／ｃｍ２で厚さ１．９ｍｍのパイル組織を用いた以外は実施例７と同様にして実施例９のクリーニングロールを得た。
【００５６】
（実施例１０）
織物として、エステルからなる太さ８４／２デシテックス（８４デシックスの単繊維を２分割したもの）の単繊維からなり、３４０００本／ｃｍ２で厚さ１．９ｍｍのパイル組織を用いた以外は実施例７と同様にして実施例１０のクリーニングロールを得た。
【００５７】
（比較例１）
メラミン樹脂発泡体（ＢＡＳＦ社製）を角状にスライスし、芯体を挿入する穴をあけた。これに接着剤を塗布した芯体を挿入し、熱融着後、表面を研磨してロール形状とし、所定の大きさに突っ切りすることで比較例１のクリーニングロールを得た。
【００５８】
（比較例２）
成形型により弾性層を成形し、表面を研磨することで、芯体の表面にウレタンからなる弾性層を成形した。この弾性層の表面に接着剤（サイビノールＨＭ−６８０：サイデン化学株式会社製）を塗布してこれに実施例１と同様の帯状編物を被覆し、所定の大きさに突っ切りすることで、比較例２のクリーニングロールを得た。
【００５９】
各実施例のクリーニングロールと各比較例のクリーニングロールの製造工程を表１に示す。
【００６０】
【表１】
2008282006.tif 000003
【００６１】
各実施例のクリーニングロールは、比較例１及び２のクリーニングロールに比べて製造工程が少ないことが明らかである。これより、本発明のクリーニングロールは、製造工程が少なく、低コストで製造することができるクリーニングロールであることがわかる。
【００６２】
（試験例１）
感光体に当接させた帯電ロールに、各実施例及び各比較例のクリーニングロールを食い込み量０．１ｍｍとなるように当接させた。その後、帯電ロールの幅１００ｍｍにトナー約０．０３ｇを均一に塗布し、駆動モータにより感光体を３００ｒｐｍで回転させた。なお、このとき帯電ロール及びクリーニングロールは連れ回りする。
【００６３】
駆動モータを１５分間運転した後の帯電ロールの表面のクリーニング状態を観察し、帯電ロールの表面が良好にクリーニングされている場合は、同様の操作を再び行った。帯電ロールがクリーニングされなくなった時点で操作を終了した。結果を表２に示す。
【００６４】
＜トナーの種類＞
デジタルトナー（コミカミノルタ社製）
スチレン系レジン：６μｍ
シリコーン系外部添加剤
＋０．６μｍ酸化チタン
【００６５】
【表２】
2008282006.tif 000004
【００６６】
（結果のまとめ）
表２に示すように、実施例１〜６のクリーニングロールは、比較例１や比較例２のクリーニングロールのように長期間に亘って帯電ロール等を良好にクリーニングできるものであることがわかった。また、実施例７〜１０のクリーニングロールはいずれも、比較例１及び比較例２のクリーニングロールよりも長期間に亘って良好なクリーニング性を維持することができるものであった。
【００６７】
以上より、本発明のクリーニング部材は、製造工程が少なく、低コストで製造することができるものであり、長期間の亘って良好なクリーニング性を維持することがわかった。
【図面の簡単な説明】
【００６８】
【図１】本発明のクリーニング部材の一例であるクリーニングロールを示す図である。
【図２】図１のクリーニングロールの製造方法を示す図である。
【図３】クリーニングロールの表面（上層）の一部を拡大した概略図である。
【符号の説明】
【００６９】
１０  クリーニングロール
１１  芯体
１２  下層
１３  上層
【図１】
2008282006.tif 000005
【図２】
2008282006.tif 000006
【図３】
2008282006.tif 000007